(57)【要約】【課題】部品のバラツキ、組み立てのバラツキのため、プラズマディスプレイのエスカッションに対しスピーカーボックスを精度良く取り付けることが難しく、エスカッションとスピーカーボックスで段差が発生する問題があった。【解決手段】スピーカーボックス取付成形品５をプラズマディスプレイ１に取り付ける際の位置決めを行なうにおいて、プラズマディスプレイ１のエスカッション３の側壁内面に凹部６を設け、そこにスピーカーボックス取付成形品５の少なくとも一部を嵌合させて凹部の底部７にて支えるように構成したプラズマディスプレイ装置とし、外観向上につなげる。【選択図】  図３
2004248015.tif 000002
【特許請求の範囲】
【請求項１】
スピーカーボックス取付成形品をプラズマディスプレイに取り付ける際の位置決めを行なうにおいて、プラズマディスプレイのエスカッションの側壁内面に凹部を設け、その凹部にスピーカーボックス取付成形品の少なくとも一部を嵌合させて凹部の底部にて支えるように構成したプラズマディスプレイ装置。
【請求項２】
凹部とそれに嵌合するスピーカーボックス取付成形品との嵌合構造を複数有し、そのうち少なくとも一組の嵌合構造において凹部の底部にてスピーカーボックス取付成形品の一部を支えている請求項１記載のプラズマディスプレイ装置。
【請求項３】
凹部はエスカッションの側壁内面の縁から水平に内部へと向かうよう形成された請求項１記載のプラズマディスプレイ装置。
【請求項４】
スピーカーボックス取付成形品はエスカッションの凹部に嵌合するリブを設け、そのリブの下端が凹部の底部と接するよう形成された請求項１記載のプラズマディスプレイ装置。
【発明の詳細な説明】
【０００１】
【発明の属する技術分野】
本発明はプラズマディスプレイ装置に関する。
【０００２】
【従来の技術】
近年、ディスプレイの多様化が進み、ブラウン管ディスプレイの他、液晶ディスプレイやプラズマディスプレイ等も市場に出回るようになってきた。特に、プラズマディスプレイの場合、一般家庭の他、大型・軽量・薄型・視野角の広さを特徴とし、複数の人が一度に見ることができる交通機関・アミューズメント・文教関係等の業務用にも多く使用されている。そのため、モニターとしてのプラズマディスプレイのみという使い方も多く、スピーカーはプラズマディスプレイと一体ではなく、取り付け・取り外しの可能な構成にする場合が多い（例えば、特許文献１参照。）。
【０００３】
スピーカーを取り付けて用いる際は、スピーカーはステレオ感・広がり感を出すため、プラズマディスプレイの左右両側面に設け、さらにプラズマディスプレイと一体感のあるデザインが好まれるので、プラズマディスプレイとスピーカーを同じ高さ、同じ色にする場合が多い。
【０００４】
さらに上記のような、スピーカーを取り付けたプラズマディスプレイ装置としてではなく、モニターとしてのプラズマディスプレイ単独で用いられることも多いため、プラズマディスプレイの側面もきれいな仕上げにしなければならない。すなわちスピーカーとの位置決めのため、プラズマディスプレイの側面にリブ・突起を設けたり、穴や溝を設けることはデザイン上好ましくない。
【０００５】
よって、左右両側面にスピーカーなどの装置を取り付ける場合、その固定箇所はディスプレイのバックカバーとなる。そして、ディスプレイの前面筺体のエスカッションとスピーカーボックスの水平面の境界に段差なく、同一ラインで仕上がるプラズマディスプレイ装置とすることが外観上望ましい。
【０００６】
このような従来のプラズマディスプレイ装置の一例を図５、図６に示す。図５，図６において、アルミシャーシ３２の左右上部にコーナー成形品３１を取り付ける。コーナー成形品３１には、位置決めピン２５が設けられている。エスカッション２２を前からアルミシャーシ３２に取り付けてから、バックカバー２３の左右上部のピン挿入穴２６にコーナー成形品３１の位置決めピン２５を入れ、バックカバー２３の位置決めをし、その後、バックカバー２３の外周をねじ２８で締め付けて取り付ける。
【０００７】
また、スピーカーボックス２１にスピーカーボックス取付成形品２４をねじ２７で取り付ける。スピーカーボックス取付成形品２４には、つめ２９が構成されており、バックカバー２３のつめ用角穴３０に嵌合させた後、ねじ２７で固定する。
【０００８】
【特許文献１】
特開２００１−３３３４７９号公報（第１ページ、図１）
【０００９】
【発明が解決しようとする課題】
しかしながら、上記構成によればスピーカーボックス２１は直接エスカッション２２に取り付けているわけではなく、バックカバー２３に取り付けており、そのバックカバー２３は、アルミシャーシ３２・コーナー成形品３１等のいろいろな部品との組み合わせで取り付け位置が決まってくる。よって、各部品の寸法のバラツキ、組み立てによるバラツキがその都度起こり、エスカッション２２とスピーカーボックス２１に段差なく、同一ラインで仕上がることは、非常に困難である。ほとんどの場合、エスカッション２２に対しスピーカーボックス２１が上についたり、逆に下がったりして、段差が発生してしまい、外観上好ましくない仕上がりになってしまう。
【００１０】
本発明は、このような従来の課題を解決するもので、エスカッションとスピーカーボックスを段差なく所定の高さ関係に取り付けができるよう、スピーカーボックスをエスカッションに対して直接位置決めできるプラズマディスプレイ装置を提供するものである。
【００１１】
【課題を解決するための手段】
この課題を解決するために本発明のプラズマディスプレイ装置は、スピーカーボックス取付成形品をプラズマディスプレイに取り付ける際の位置決めを行なうにおいて、プラズマディスプレイのエスカッションの側壁内面に凹部を設け、その凹部にスピーカーボックス取付成形品の少なくとも一部を嵌合させて底部にて支えることを特徴とした。これによりスピーカーボックスは直接エスカッションにより位置が決められるので、間に配置される多数の部品による寸法・組立バラツキによらず、エスカッションとスピーカーボックスが段差なく所望の高さ関係になるようなプラズマディスプレイ装置の提供が可能となる。
【００１２】
【発明の実施の形態】
本発明は、スピーカーボックス取付成形品をプラズマディスプレイに取り付ける際の位置決めを行なうにおいて、プラズマディスプレイのエスカッションの側壁内面に凹部を設け、その凹部にスピーカーボックス取付成形品の少なくとも一部を嵌合させて底部にて支えるように構成したプラズマディスプレイ装置としたもので、スピーカーボックスを直接エスカッションに位置決めが可能であり、エスカッションとスピーカーボックスの取り付け時の仕上がりを向上することができ、外観向上という作用を有する。
【００１３】
また、スピーカーボックス取付成形品の少なくとも一部をエスカッションの側壁内面の凹部へ嵌合させ、その底部を凹部の底部にて支える構造となっているので、スピーカーボックスの重さを保持できる効果も併せ持つ。
【００１４】
またこの凹部はエスカッションの側壁内面に設けられるので、この嵌合構造を有するプラズマディスプレイはスピーカー不装着時にも美しい外観を保つものとなる。
【００１５】
さらにエスカッションの側壁内面の凹部を設けるだけの構造であるので余分な部品を必要とせず、安価に外観の良いプラズマディスプレイ装置を提供することができる。
【００１６】
【実施例】
以下、本発明の実施の形態におけるプラズマディスプレイ装置について、図面とともに説明する。
【００１７】
図１は本発明の実施例におけるプラズマディスプレイ装置の正面図であり、モニターであるプラズマディスプレイ１の左右にスピーカーボックス２を備えたものである。このように、プラズマディスプレイ１とスピーカーボックス２は高さ方向に段差なく取り付けられることが好ましい。図２は本発明の実施例におけるプラズマディスプレイ装置の後面斜視図を示す。図３は本発明の実施例における後面斜視の組み立て図、図４はスピーカーボックス取付成形品の正面斜視図を示す。
【００１８】
図２〜図４において、本発明の実施例におけるプラズマディスプレイ装置は、スピーカーボックス２、エスカッション３、バックカバー４、スピーカーボックス取付成形品５、凹部６、その凹部の底部７、アルミシャーシ８、コーナー成形品９、コーナー成形品９のバックカバー４の位置決めピン１０、バックカバー４の左右上部のピン挿入穴１１、バックカバー４の切欠き１２、スピーカーボックス取付成形品５のつめ用角穴１３、スピーカーボックス取付成形品５のつめ１４、スピーカーボックス取付成形品のリブ１５、スピーカーボックス取付用ねじ１６、バックカバー取付用ねじ１７から構成される。
【００１９】
図２〜図４に示すように、アルミシャーシ８が、筐体を形成しているエスカッション３とバックカバー４の内部に収納され、この筐体の蓋部分となるバックカバー４にスピーカーボックス取付成形品５によってスピーカーボックス２が取り付けられるというのが大まかな構成である。以下詳細な説明を行なう。
【００２０】
エスカッション３の側壁の背面には側壁の縁からエスカッション３の奥へ向かう凹部６を設ける。この凹部６の底部７の幅は凹部６の深さよりも大きく取り、エスカッション３の内部へ出っ張る形とする。
【００２１】
アルミシャーシ８はこのエスカッション３で全体を被われる構成となる。アルミシャーシ８はプラズマディスプレイパネルの保持と電気回路部品の取付を行なうためのものであり、エスカッション３の内部壁面に作られるつめなど（図示せず）によって固定される。アルミシャーシ８の左右上部角にはコーナー成形品９が取り付けられる。このコーナー成形品９にはアルミシャーシ８とバックカバー４との位置決めを行なう位置決めピン１０が設けられる。
【００２２】
バックカバー４はその左右上部に形成されるピン挿入穴１１に前記位置決めピン１０を通すことで所定の位置に配置され、外周を取付用ねじ１７で固定される。バックカバー４の左右外周付近にはスピーカーボックス取付成形品５を挿入するための切欠き１２と、スピーカーボックス取付成形品５のつめ１４を取り付けるためのつめ用角穴１３を設ける。
【００２３】
切欠き１２は組み立てられた際に凹部６と高さが一致するような位置に設け、その大きさは特に下方向へ凹部６よりも長く形成する。
【００２４】
スピーカーボックス２の背面には、上記のエスカッション３、シャーシ８、バックカバー４からなるプラズマディスプレイ１へ取り付けるためのスピーカーボックス取付成形品５が取付用ねじ１６により固定されている。
【００２５】
このスピーカーボックス取付成形品５にはエスカッション３で直接位置決めが可能なようなリブ１５が設けられている。また、バックカバー４への固定手段として、つめ１４およびスピーカーボックス取付用ねじ１６がある。
【００２６】
次に上記構成におけるスピーカーボックス２のプラズマディスプレイ１への取付方法を説明する。
【００２７】
まずプラズマディスプレイ１の左右に取り付けることとなるスピーカーボックス２にスピーカーボックス取付成形品５を取付用ねじ１６で固定する。この際、スピーカーボックス２に、プラズマディスプレイ１と接する部分にスポンジなどを貼り付けておくと、スピーカーボックス２の振動が伝わらず、傷も付きにくい。
【００２８】
次にスピーカーボックス取付成形品５のスピーカーボックス２の背面から突出した部分をプラズマディスプレイ１の背面、つまりバックカバー４へ取り付ける。リブ１５を切欠き１２へ、つめ１４をつめ用角穴１３へ入れ、下に下げる。
【００２９】
この時、リブ１５は切欠き１２を貫通し、プラズマディスプレイ１の最前面に位置するエスカッション３の凹部６へと挿入されることとなる。切欠き１２は凹部６よりも下方向へ長く形成されているので、リブ１５は余裕をもって凹部６へと入り、凹部の底部７に接触するまで下げることができる。
【００３０】
なおスピーカーボックス取付成形品５のつめ用角穴１３も、つめ１４の縦方向の長さよりも大きく取るのでスピーカーボックス取付成形品５を下に降ろしてリブ１５が凹部の底部７へと接触することを妨げない。逆に水平方向つまり、つめ１４とつめ用角穴１３の幅はスピーカーボックス２の重みによる回転が起こらないよう、寸法合わせの精度が求められる。
【００３１】
なお凹部の底部７は凹部６の深さよりも広くとるので、安定してリブ１５の底部を支えることができ、スピーカーボックス２の重みにも耐え得るものである。
【００３２】
さらに、凹部６の背面から正面への長さは、リブ１５の長さよりも長く取り、スピーカーボックス取付成形品５がバックカバー４への取り付け所定の位置まで入り込むようになっている。
【００３３】
最後にスピーカーボックス取付成形品５をバックカバー４へとねじ１６で固定する。
【００３４】
上記の構造、取り付け方法をとることにより、スピーカーボックス取付成形品５に設けられたリブ１５が直接エスカッション３の凹部の底部７へと接触するので、スピーカーボックス２とプラズマディスプレイ１の設置高さの所望の位置への固定が容易となる。つまり、プラズマディスプレイ１を構成するエスカッション３、アルミシャーシ８、バックカバー４などの各部品に寸法誤差、組立誤差が存在したとしても、エスカッション３とスピーカーボックス２をスピーカーボックス取付成形品５のみを介して位置決めできる。
【００３５】
その結果、精度の良い取り付けが可能で、使用者は容易にスピーカーボックス２の取り付けおよび取り外しができ、外観もきれいに仕上がるプラズマディスプレイ装置の提供が可能となる。
【００３６】
【発明の効果】
以上の様に、本発明によれば、各部品の寸法バラツキ、組み立てバラツキがあってもエスカッションとスピーカーボックスが直接位置決めできるため、プラズマディスプレイとスピーカーボックスとの高さが一致するようなプラズマディスプレイ装置を提供することができる。
【図面の簡単な説明】
【図１】本発明のスピーカーボックスを備えたプラズマディスプレイ装置の正面図
【図２】本発明の実施の形態におけるプラズマディスプレイとスピーカーボックスの位置決め構造の後面から見た要部の分解斜視図
【図３】本発明の実施の形態における後面から見た要部の分解斜視図
【図４】本発明の実施の形態におけるスピーカーボックス取付成形品の正面から見た斜視図
【図５】従来のスピーカーボックスを備えたプラズマディスプレイ装置の後面から見た要部の斜視図
【図６】従来のスピーカーボックスを備えたプラズマディスプレイ装置の後面から見た要部の分解斜視図
【符号の説明】
１  プラズマディスプレイ
２  スピーカーボックス
３  エスカッション
４  バックカバー
５  スピーカーボックス取付成形品
６  凹部
７  凹部の底部
８  アルミシャーシ
９  コーナー成形品
１０  位置決めピン
１１  ピン挿入穴
１２  切欠き
１３  つめ用角穴
１４  つめ
１５  リブ
１６  スピーカーボックス取付用ねじ
１７  バックカバー取付用ねじ
【図１】
2004248015.tif 000003
【図２】
2004248015.tif 000004
【図３】
2004248015.tif 000005
【図４】
2004248015.tif 000006
【図５】
2004248015.tif 000007
【図６】
2004248015.tif 000008